(57)【特許請求の範囲】
【請求項１】
画像書込装置による電圧の印加によって書き込まれた画像を無電源で保持可能な表示記録媒体において、
互いに異なる形状の一対の受電部と、
ダミーの受電部とを備え、
前記一対の受電部の前記互いに異なる形状に対応した形状の一対の給電部を備えた画像書込装置については、前記一対の給電部が前記一対の受電部に接触して前記一対の受電部への前記電圧の印加が可能となることを特徴とする表示記録媒体。
【請求項２】
前記一対の受電部は、前記表示記録媒体の外表面よりも内側に配置されたことを特徴とする請求項１に記載の表示記録媒体。
【請求項３】
前記一対の受電部は、予め定められた間隔を有して配置され、前記一対の給電部が、前記一対の受電部の間隔と一致した間隔を有する前記画像書込装置については、前記一対の給電部が前記一対の受電部に接触して前記一対の受電部への前記電圧の印加が可能となることを特徴とする請求項１又は２に記載の表示記録媒体。
【発明の詳細な説明】
【技術分野】
【０００１】
本発明は、電圧の印加によって書き込まれた画像を表示する表示記録媒体に関し、特に、特定の画像書込装置以外の画像書込装置では使用できないようにした表示記録媒体に関する。
【背景技術】
【０００２】
近年、表示記録媒体として、紙媒体や電子ディスプレイデバイスの他に、電子ディスプレイの長所と紙の長所を併せ持った電子ペーパあるいはデジタルペーパと称せられる表示記録媒体が注目されている。
【０００３】
この表示記録媒体は、表示に関してメモリ性を有することから、情報の書き換え時のみ駆動装置あるいは外部の情報書込装置により、書込みのエネルギーを与えるだけで良く、表示を維持するエネルギー印加は不要である。従って、情報の書込み後に画像書込装置から表示記録媒体のみを切り離し、紙媒体のように手軽に持ち運んだり、重ねたり、並べたり、手に持って情報を読むことができる。
【０００４】
上記のようなメモリ性を有する表示記録媒体として、電圧の印加と光の照射によって画像が可視的かつ消去自在にメモリされる光書込型表示記録媒体、およびこの表示記録媒体に画像を書き込む画像書込装置が知られている（例えば、特許文献１参照）。
【０００５】
この特許文献１に記載された表示記録媒体は、一対の透明電極間に、液晶層と、光の照射によって抵抗値が変化する光導電層とが積層されたものである。また、その表示記録媒体に画像を書き込む装置は、液晶パネルから２次元的な光パターンを２次元マイクロレンズアレイを介して表示記録媒体の光導電層に結像するように照射し、光導電層に光パターンに基づく抵抗分布を生じさせ、透明電極間に電圧を印加して、光導電層の抵抗分布に基づく分圧分布を液晶層に印加し、分圧分布に応じた画像を液晶層に記録するものである。
【特許文献１】特開２００１−３０１２３３号公報
【発明の開示】
【発明が解決しようとする課題】
【０００６】
しかし、従来の表示記録媒体によると、繰り返し画像の書込みが可能であるため、１つの画像書込装置に限定して使用されるとは限らず、他の画像書込装置でも使用可能である。このため、使用場所を限定したとしても、使用場所からの持ち出しがあれば元の場所では表示記録媒体の枚数が不足する事態になる。また、表示記録媒体は１枚の価格が高価であるため、盗難されることも考えられる。
【０００７】
従って、本発明の目的は、特定の画像書込装置以外の画像書込装置では使用できないようにした表示記録媒体を提供することにある。
【課題を解決するための手段】
【０００８】
本発明は、上記の目的を達成するため、画像書込装置による電圧の印加によって書き込まれた画像を無電源で保持可能な表示記録媒体において、互いに異なる形状の一対の受電部と、ダミーの受電部とを備え、前記一対の受電部の前記互いに異なる形状に対応した形状の一対の給電部を備えた画像書込装置については、前記一対の給電部が前記一対の受電部に接触して前記一対の受電部への前記電圧の印加が可能となることを特徴とする表示記録媒体を提供する。
【００１０】
上記本発明によれば、帰属表示部は、特定の画像書込装置への帰属を示すので、その帰属情報を基に特定の画像書込装置以外の画像書込装置が自己に属さない表示記録媒体への書込みを拒否することが可能になる。
【発明の効果】
【００１１】
本発明の表示記録媒体によれば、表示記録媒体に設けた帰属表示部は、特定の画像書込装置への帰属を示すので、表示記録媒体を特定の画像書込装置以外の画像書込装置では使用できないようにすることができる。
【発明を実施するための最良の形態】
【００１２】
［第１の実施の形態］（画像書込装置の構成）
図１及び図２は、本発明の第１の実施の形態に係る画像書込装置の構成を示す。図１は画像書込装置の平面図である。また、図２において、（ａ）は図１のＡ−Ａ線の断面、（ｂ）は図１のＢ−Ｂ線の断面、及び（ｃ）は図１のＣ−Ｃ線の断面を示している。
【００１３】
画像書込装置１００は、本体部を成す下部筐体１１０と、この下部筐体１１０上に設置される上部筐体１３０とを備えて構成されている。
【００１４】
下部筐体１１０は、搬送ローラ１１１Ａ，１１１Ｂ，１１１Ｃ，１１１Ｄを備える媒体搬送部１１２と、ＬＣＤ（液晶ディスプレィ）パネル１１３及びバックライト１１４を備える書込部１１５と、端子取付部１１６と、給電部としての給電端子１１７Ａ，１１７Ｂと、ストッパ１１８Ａ，１１８Ｂと、媒体停止センサ１１９と、排出終了センサ１２０と、開口１２３Ａ，１２３Ｂと、ガイド１２４Ａ，１２４Ｂとを備えて構成されている。
【００１５】
また、上部筐体１３０は、電磁ソレノイド１３２Ａ，１３２Ｂ及び押圧板１３３を備える媒体押付け部１３４と、開口１３５とを備えて構成されている。
【００１６】
下部筐体１１０と上部筐体１３０の間には、本発明の実施の形態に係る表示記録媒体１Ａを挿入するための挿入口１５１、及び挿入された表示記録媒体１Ａが介在する空間１５２が形成されている。媒体搬送部１１２は、挿入口１５１から挿入された表示記録媒体１Ａを媒体搬送部１１２の搬送ローラ１１１Ａ〜１１１Ｄの回転により、画像書込位置である空間１５２へ搬入するほか、書込みの終了した表示記録媒体１Ａを外部へ搬出する。
【００１７】
書込部１１５は、バックライト１１４により背面から照明されているＬＣＤパネル１１３に対し、画像データに基づいた画像を表示させ、この表示画像を画像書込位置に搬入された表示記録媒体１Ａに書込みを行う。
【００１８】
端子取付部１１６には、給電端子１１７Ａ，１１７Ｂが取り付けられており、媒体押付け部１３４が動作することにより、表示記録媒体１Ａの受電部１２Ａ，１２Ｂに接触し、受電部１２Ａ，１２Ｂに所定の電圧を印加する。
【００１９】
ストッパ１１８Ａ，１１８Ｂは、垂直位置と水平位置の間を回転し、起立したとき、空間１５２に搬入された表示記録媒体１Ａを定位置に停止させる。また、水平位置になると、表示記録媒体１の空間１５２からの排出を可能にする。
【００２０】
媒体停止センサ１１９は、空間１５２に搬入された表示記録媒体１Ａが定位置に到達したか否かを検出する。排出終了センサ１２０は、書込みの終了した表示記録媒体１Ａが装置１００外へ搬出され、表示記録媒体１Ａの後端の通過を検出することにより、表示記録媒体１が排出口１５３から排出されたことを検知する。
【００２１】
媒体停止センサ１１９、および排出終了センサ１２０は、それぞれ表示記録媒体１Ａに光を照射する発光素子と、表示記録媒体１Ａで反射した光を受光する受光素子とを備えて構成されている。
【００２２】
また、下部筐体１１０の上面には、給電端子１１７Ａ，１１７Ｂを逃げるための逃げ穴１２２が形成されている。これにより、表示記録媒体１Ａが画像書込位置に存在しないとき、押圧板１３３の誤動作によって下降しても、給電端子１１７Ａ，１１７Ｂが変形や破損するのを防ぐことができる。
【００２３】
媒体押付け部１３４は、画像書込位置に搬入された表示記録媒体１Ａを下部筐体１１０の上面に押圧するために用いられ、図２の（ｂ），（ｃ）に示すように、上部筐体１３０の中央に形成された開口１３５から出没可能に設けられている。
【００２４】
媒体押付け部１３４は、押圧板１３３によって表示記録媒体１Ａを下方に押圧する。電磁ソレノイド１３２Ａ，１３２Ｂは、押圧板１３３を下方へ押し下げて表示記録媒体１ＡをＬＣＤパネル１１３の光出射面１２１に密着させるための駆動源として機能する。
【００２５】
（表示記録媒体の構成）
図３は、第１の実施の形態に係る表示記録媒体１Ａを示す。図中、（ａ）は第１の実施の形態に係る特定の表示記録媒体（特定の画像書込装置に帰属する表示記録媒体）の全体を示し、（ｂ）は特定外の表示記録媒体の要部を示す。
【００２６】
図３の（ａ）の特定の表示記録媒体１Ａ及び（ｂ）の特定外の表示記録媒体１Ｂはシート状を成し、その片面（図３の下面）に書込表示領域１１を有するほか、画像書込装置１００により画像を書き込む際に給電端子１１７Ａ，１１７Ｂから給電を受けるための受電部１２Ａ，１２Ｂが設けられている。表示記録媒体１１Ａ，１Ｂは、図３のＸ方向から画像書込装置１００に挿入される。
【００２７】
図３の（ａ）の表示記録媒体１Ａは、特定の画像書込装置１００でのみ使用可能にしたものであり、受電部１２Ａ，１２Ｂの間隔をＬ１にし、特定外の表示記録媒体１Ｂの受電部１２Ａ，１２Ｂの間隔Ｌ２よりも広げ、予め特定の画像書込装置１００以外の画像書込装置で書込みが行えないようにしている。当然、この表示記録媒体１Ａに対応する画像書込装置１００は、図１に示すように、その給電端子１１７，１１７Ｂの間隔がＬ１に設定されている。給電端子１１７Ａ，１１７Ｂの給電部の間隔を画像書込装置ごとに異ならせ、これに合わせて表示記録媒体１Ａの受電部１２Ａ，１２Ｂの間隔を異ならせておくことにより、特定の画像書込装置でしか使用できない表示記録媒体１Ａを構成できる。
【００２８】
図３の（ｂ）の表示記録媒体１Ｂは特定外の画像書込装置（例えば、標準仕様の画像書込装置）に用いられるもので、受電部１２Ａ，１２Ｂの間隔はＬ２に設定されている。この間隔Ｌ２は、例えば、最も汎用性のある間隔であり、特定外の複数の画像書込装置で共通に使用される。
【００２９】
図３の（ａ），（ｂ）では、２つの表示記録媒体１Ａ，１Ｂの一対の受電部１２Ａ，１２Ｂのうち一方の受電部１２Ａの配置位置を同じ位置としたが、一対に受電部１２Ａ，１２Ｂのそれぞれが表示記録媒体１Ａと表示記録媒体１Ｂとで異なる場所に配置されていてもよい。
【００３０】
（表示記録媒体の層構成）
図４は、表示記録媒体１Ａの図３（ａ）のＤ−Ｄ線の断面を示す。表示記録媒体１Ａは薄型矩形状を有し、図４の裏面１ｂ側から書込パターン光２０が照射され、更に、受電部１２Ａ，１２Ｂに給電端子１１７Ａ，１１７Ｂから所定の電圧が印加されることによって画像が書き込まれる。書き込まれた画像は、図４に示す書込パターン光２０の照射方向（眼Ｅの方向）から見ることができる。
【００３１】
表示記録媒体１Ａは、対向配置されたＰＥＴ（ポリエチレンテレフタレート）フィルムからなる一対の基板１３Ａ，１３Ｂと、一対の基板１３Ａ，１３Ｂの内側に設けられたＩＴＯ（酸化インジウム錫）からなる一対の透明電極（表面側電極）１４Ａ，（裏面側電極）１４Ｂと、裏面１ｂ側の透明電極１４Ｂの内側に設けられ、印加電圧に応じて反射率（透過率）が変化するコレステリック液晶からなる液晶層１５と、液晶層１５の内側に設けられた隔離層１６と、隔離層１６の内側に設けられ、書込パターン光２０の照射によって抵抗値が小さくなるように、２つの電荷発生層１７ａ，１７ｃ間に電荷輸送層１７ｂを配置して形成された光導電層１７と、光導電層１７の上側に設けられた光吸収層１８と、透明電極１４Ｂから延在する延在部１９とを備えて構成されている。
【００３２】
延在部１９の上端には受電部１２Ａが確保され、透明電極１４Ａの端部（図４の右側端）には受電部１２Ｂが確保されている。受電部１２Ａ，１２Ｂは、基板１３Ａに設けられた開口２１Ａ，２１Ｂを通して露出している。また、受電部１２Ａと受電部１２Ｂの間隔はＬ１である。
【００３３】
（書込み動作）
次に、図３の表示記録媒体１Ａを図１及び図２の画像書込装置１００に装填したときの書込み動作を説明する。図２の（ａ）のように、ユーザによって、表示記録媒体１Ａが挿入口１５１に正しい向き（表面１ａが表で且つ短辺が搬送方向に平行な向き）で挿入されると、この挿入を検知した制御部は、媒体搬送部１１２の搬送モータを駆動して搬送ローラ１１１Ａ〜１１１Ｄを回転させる。これにより、表示記録媒体１Ａはガイド１２４Ａ，１２４Ｂにガイドされながら書込み位置の方向へ搬送される。表示記録媒体１Ａがセット位置から奥へ搬送され、先端がストッパ１１８Ａ，１１８Ｂに当接すると、書込み位置に到達する。更に、媒体停止センサ１１９が表示記録媒体１Ａの先端を検出すると、搬送ローラ１１１Ａ〜１１１Ｄの回転駆動が停止され、表示記録媒体１Ａは移動を停止する。
【００３４】
ついで、媒体押付け部１３４の電磁ソレノイド１３２Ａ，１３２Ｂが駆動され、押圧板１３３を押し下げ、表示記録媒体１Ａの裏面１ｂをＬＣＤパネル１１３の光出射面１２１に密着させる。押圧板１３３によって表示記録媒体１Ａが押圧されると、給電端子１１７Ａ，１１７Ｂが表示記録媒体１Ａの受電部１２Ａ，１２Ｂに接触する。
【００３５】
給電端子１１７Ａ，１１７Ｂは、図２の（ｃ）に示すように、先端部は弾性力を生じるようにＪ字形に曲げ加工が施されている。したがって、端子取付部１１６が媒体押付け部１３４によって上方から押圧されると、給電端子１１７Ａ，１１７Ｂの先端面が、弾性変形しながら表示記録媒体１Ａの受電部１２Ａ，１２Ｂに接触する。給電端子１１７Ａ，１１７Ｂと受電部１２Ａ，１２Ｂとが接触することにより、表示記録媒体１Ａの一対の透明電極１４Ａ，１４Ｂ間に電圧が印加される。このとき、書込部１１５が動作すると、表示記録媒体１Ａへの画像書込みが行われる。
【００３６】
書込部１１５は、バックライト１１４を点灯させ、図示しないパルス電源部から給電端子１１７Ａ，１１７Ｂを介して表示記録媒体１Ａの一対の透明電極１４Ａ，１４Ｂ間にパルス電圧が印加されるとともに、画像データに基づく駆動信号がＬＣＤパネル１１３に出力される。ＬＣＤパネル１１３は、制御部からの駆動信号に基づいて書込パターン光２０を表示記録媒体１Ａの裏面１ｂから照射する。
【００３７】
書込パターン光２０は、表示記録媒体１Ａの裏面１ｂ側の基板１３Ｂ、透明電極１４Ｂ、液晶層１５および隔離層１６を通して光導電層１７に照射される。光導電層１７は、書込パターン光２０が照射されると抵抗値が小さくなり、それにより、光導電層１７とのインピーダンス比で決まる液晶層１５の分圧が増加し、液晶層１５における光反射率が大きくなる。従って、表示記録媒体１Ａの書込記録領域１１を裏面１ｂから見た場合、書込パターン光２０が照射された領域は、液晶層１５で反射して白く見え、書込パターン光２０が照射されていない領域は液晶層１５を通過して光吸収層１８で吸収されるため、黒く見える。これにより、可視像として見ることが可能な画像が記録される。
【００３８】
表示記録媒体１Ａへの画像の書込みが終了すると、媒体押付け部１３４が駆動され、押圧板１３３を初期位置に退避させる。同時に、ストッパ１１８Ａ，１１８Ｂが水平位置に倒れる様に駆動され、搬送ローラ１１１Ａ〜１１１Ｄが回転駆動されることにより、表示記録媒体１Ａは排出口１５３から排出され、ユーザは表示記録媒体１Ａを手に取ることができる。
【００３９】
（第１の実施の形態の効果）
この第１の実施の形態に係る表示記録媒体１Ａによれば、特定の画像書込装置に帰属するときにのみ当該画像書込装置での書込みが許可され、特定外の画像書込装置では書込みが行えない。このことを予めユーザに認識させておけば、表示記録媒体１Ａの持ち出しや盗難の防止及び抑制することが可能になる。
【００４０】
［第２の実施の形態］
図５は、本発明の第２の実施の形態に係る表示記録媒体を示す。この第２の実施の形態に係る表示記録媒体１Ａは、対向配置されたＰＥＴフィルムからなる一対の基板１３Ａ，１３Ｂと、この基板１３Ａ，１３Ｂの内側に設けられたＩＴＯからなる一対の透明電極１４Ａ，１４Ｂと、透明電極１４Ａの内側に設けられ、印加電圧に応じて反射率（透過率）が変化するコレステリック液晶からなる液晶層１５と、透明電極１４Ｂの内側に設けられた光導電層１７と、この光導電層１７と液晶層１５との間に設けられた光吸収層１８と、透明電極１４Ｂと受電部１２Ａと接続する延在部１９とを備えて構成されている。
【００４１】
（第２の実施の形態の効果）
図５の表示記録媒体１Ａは、図２に示した表示記録媒体１Ａに対し、光吸収層１８が図２の隔離層１６の位置に設けて構成されており、書込パターン光２０は裏面１０ｂから照射されるが、書き込まれた液晶層１５上の画像を見る方向は、図２の場合と異なり、表面１０ａ側のＥ方向から見ることができる。従って、ユーザは、画像書込装置１００から排出された表示記録媒体１Ａを裏返しにすることなく、表示記録媒体１Ａの上面を見れば、直ちに画像内容を確認することができる。加えて、第１の実施の形態と同様に、画像書込装置１００の給電端子と間隔Ｌ1が同一の受電部１２Ａ，１２Ｂによる帰属表示部が設けられていることにより、特定外の画像書込装置で使用できなくすることができる。
【００４２】
［第３の実施の形態］
図６は、本発明の第３の実施の形態に係る画像書込装置の制御系を示す。この画像書込装置１００は、帰属表示部を有する表示記録媒体からＩＤを検出して画像書込みを行うものであり、ハードウェアは、図１，図２に示したのと同様に構成されているので、ここでは、その説明を省略する。この画像書込装置１００の制御系６０は、図１，図２に示す媒体搬送部１１２、媒体停止センサ１１９、排出終了センサ１２０及び媒体押付け部１３４が接続された制御部６１と、ＬＣＤパネル駆動部６２と、バックライト点灯部６３と、パルス電源部６４と、画像データ記憶部６５と、ＩＤ記憶部６６と、ＩＤリスト記憶部６７と、通信Ｉ／Ｆ（インターフェース）６８と、ＩＤ受信部６９とを備えて構成されている。
【００４３】
制御部６１は、ＣＰＵ等を用いて構成されており、画像書込装置１００の全体を制御する。ＬＣＤパネル駆動部６２は、ＬＣＤパネル１１３に画像データに応じた駆動信号を供給する。バックライト点灯部６３は、ＬＣＤパネル１１３を背面から照明するバックライト１１４を駆動する。パルス電源部６４は、給電端子１１７Ａ，１１７Ｂにパルス電圧を出力する。画像データ記憶部６５は、表示記録媒体１Ａに書き込む画像データを記憶する記憶媒体であり、例えば、半導体メモリが用いられる。
【００４４】
ＩＤ記憶部６６は、ＩＤ受信部６９により表示記録媒体の後述する無線ＩＤ部から受信された媒体ＩＤが格納される。ＩＤリスト記憶部６７は、画像書込装置１００で使用可能な１又は複数の表示記録媒体の媒体ＩＤを格納している。通信Ｉ／Ｆ６８は、インターネット７０等のネットワークとの間の通信を実行する。ＩＤ受信部６９は、無線ＩＤ部からの電波を受信して媒体ＩＤを抽出し、これをＩＤ記憶部６６に格納する。
【００４５】
図７は、第３の実施の形態に係る表示記録媒体を示す。この第３の実施の形態に係る表示記録媒体１Ｃは、受電部１２Ａ，１２Ｂの間隔及び外観は、図３（ｂ）の表示記録媒体１Ｂと同一であるが、周辺、ここでは受電部１２Ａ，１２Ｂが設けられている短辺の反対側の短辺に、帰属表示部としての無線ＩＤ部５１が設けられている。
【００４６】
無線ＩＤ部５１は、画像書込装置１００側から電磁誘導等を受けて電源を生成する電源回路と、表示記録媒体１Ｃの媒体ＩＤが記録されている不揮発性メモリと、媒体ＩＤを電波により送信する送信回路と、無線ＩＤ部５１の全体を制御する制御部とを備えて構成されている。電源回路が機能して電源が生成されると、無線ＩＤ部５１の制御部は不揮発性メモリから媒体ＩＤを読み出し、送信回路を動作させて媒体ＩＤを微弱な電波で送信するように構成されている。
【００４７】
（ＩＤの照合動作）
図８は、図７に示した無線ＩＤ部５１を備えた表示記録媒体１Ｃが装着されたときの制御系６０の処理を示す。図中、Ｓはステップを表している。媒体搬送部１１２によって表示記録媒体１Ｃが書込み位置に正常に搬送されたか否かが判定される（Ｓ２０１）。表示記録媒体１Ｃが正常に搬送されたことが確認されると、表示記録媒体１Ｃの無線ＩＤ部５１からの電波がＩＤ受信部６９で受信され、復調して得られた媒体ＩＤはＩＤ記憶部６６に格納される。
【００４８】
制御部６１は、ＩＤ記憶部６６から表示記録媒体１Ｃの媒体ＩＤを読み出し（Ｓ２０２）、この媒体ＩＤに一致するＩＤがＩＤリスト記憶部６７に存在するか否かを検索する（Ｓ２０３）。ＩＤが一致した場合、書込みを許可する。すなわち、制御部６１は、媒体搬送部１１２、書込部１１５、及びパルス電源部６４を動作させる。ついで、制御部６１は画像データ記憶部６５から画像データを読み出し、装着されている表示記録媒体１Ｃへの画像の書込みを開始する（Ｓ２０４）。一方、ＩＤが不一致であった場合、書込みを拒否する。すなわち、制御部６１は、ストッバ１１８Ａ，１１８Ｂを水平位置にすると共に、媒体搬送部１１２を動作させて搬送ローラ１１１Ａ〜１１１Ｄを回転させ、表示記録媒体１を下部筐体１１０の外へ排出する（Ｓ２０５）。
【００４９】
（第３の実施の形態の効果）
この第３の実施の形態によれば、帰属表示部として無線ＩＤ部５１が設けられているため、画像書込装置１００に装着したときに無線ＩＤ部５１からＩＤが読み出され、画像書込装置１００は自己に帰属する表示記録媒体１Ｃか否かを容易に判定でき、帰属しない場合には書込みが拒否される。したがって、特定の画像書込装置に帰属する表示記録媒体しか使用できないということを予めユーザに認識させておけば、表示記録媒体の持ち出しや盗難の防止及び抑制することが可能になる。
【００５０】
［第４の実施の形態］
図９は、本発明の第４の実施の形態に係る表示記録媒体を示す。この第４の実施の形態に係る表示記録媒体１Ｄは、図３の表示記録媒体において、一対の受電部１２Ａ，１２Ｂの他に、これらと同一形状のダミー受電部３１，３２，３３，３４，３５，３６，３７，３８，３９，４０からなるダミー受電部群３０を設けて帰属表示部を構成している。この表示記録媒体１Ｄが帰属する画像書込装置は、図９に示す一対の受電部１２Ａ，１２Ｂに対応する位置に給電端子を有する。
【００５１】
なお、ダミー受電部は１０個に限定されるものではなく、任意の個数にすることができる。ここでは、受電部１２Ａ，１２Ｂをダミー受電部群３０の両側に設けたが、勿論、ダミー受電部３１〜４０の中の任意の場所を選択したパターンにすることもできる。これにより、特定の画像書込装置に対応させた表示記録媒体１Ｄとすることができる。図９の表示記録媒体１Ｄにおいては、多数の電極の内の２つを受電部１２Ａ，１２Ｂとして用いるため、画像書込装置および表示記録媒体１Ｄの多数の組合せが可能となる。
【００５２】
なお、Ｎ個の電極の内、少なくとも２つが受電部１２Ａ，１２Ｂに１個づつ割り当てられるが、３つ以上を受電部として割り当ててもよい。これにより、１つの受電部に接触不良が生じたとしても、共通に接続された他の受電部を介して受電が行えるため、確実に透明電極１４Ａ，１４Ｂに電圧が印加されて画像書込みが行えるようになる。
【００５３】
（第４の実施の形態の効果）
この第４の実施の形態に係る表示記録媒体１Ｄによれば、第１の実施の形態に係る表示記録媒体１Ａと同様に、予め受電部１２Ａ，１２Ｂと給電端子１１７Ａ，１１７Ｂの配置を一致させた画像書込装置でしか画像書込みが行えないため、表示記録媒体の持ち出しや盗難の防止及び抑制することが可能になる。
【００５４】
［第５の実施の形態］
図１０は、本発明の第５の実施の形態に係る表示記録媒体を示す。この第５の実施の形態に係る表示記録媒体１Ｅは、図１０の（ａ）のように、受電部１２Ａ，１２Ｂのそれぞれが、Ｌ字形やＺ字形等の所定の形状をなしている。受電部１２Ａ，１２Ｂは、図４及び図５に示すように、上面に基板１３Ａが設けられているため、表示記録媒体１Ａの外表面よりも内側に配置れている。このため、給電端子１１７Ａ，１１７Ｂの給電部は、受電部１２Ａ，１２Ｂと形状が一致しないと、開口２１Ａ，２１Ｂ内に入り込んで受電部１２Ａ，１２Ｂに接触できない。
【００５５】
図１０の（ｂ）のように、特定の画像書込装置の給電端子１１７Ａ，１１７Ｂの形状と受電部１２Ａ，１２Ｂの形状が一致する場合は、開口２１Ａ，２１Ｂを通して接触できるため、この表示記録媒体１Ｅは、特定の画像書込装置に帰属する。図１０の（ｃ）のように画像書込装置の給電端子（点線で示す。）１１７Ａ，１１７Ｂと受電部１２Ａ，１２Ｂの形状が一致しない場合は、両者が接触できず、この表示記録媒体１Ｅは、特定の画像書込装置に帰属しない。このように、受電部１２Ａ，１２Ｂの形状及び間隔を対応する画像書込装置毎に合わせておけば、画像書込装置毎に表示記録媒体を特定することが可能になる。
【００５６】
（第５の実施の形態の効果）
この第５の実施の形態に係る表示記録媒体１Ｅによれば、第１の実施の形態に係る表示記録媒体１Ａと同様に、予め受電部１２Ａ，１２Ｂと給電端子１１７Ａ，１１７Ｂの形状及び配置を一致させた画像書込装置でしか画像書込みが行えないため、画像書込装置に帰属する表示記録媒体しか使用できないということを予めユーザに認識させておけば、表示記録媒体の持ち出しや盗難の防止及び抑制することが可能になる。
【００５７】
［第６の実施の形態］
図１１は、本発明の第６の実施の形態に係る表示記録媒体を示す。この第６の実施の形態に係る表示記録媒体１Ｆは、図３（ａ）に示す構成において、コーナ部の側面に帰属表示部としての切欠部（幾何学パターン）５２を設けた構成にしている。この切欠部５２には、画像書込装置１００側に設けられた検出素子としてのリミットスイッチ５３の検出端が係合する。リミットスイッチ５３は、その検出端が表示記録媒体１Ｆの搬入路に露出している。切欠部５２の設置位置を画像書込装置毎に異なる位置に設定しておけば、特定の画像書込装置でしか使用できない表示記録媒体１Ｆとすることができる。
【００５８】
例えば、表示記録媒体１Ｆが図２に示す下部筐体１１０の挿入口１５１に挿入され、表示記録媒体１Ｆが所定位置まで搬送されると、切欠部５２にリミットスイッチ５３の先端部が入り込み、リミットスイッチ５３がオフからオンになり、或いはオンからオフになる。リミットスイッチ５３が動作することにより、表示記録媒体１Ｆが特定の画像書込装置１００に帰属することを判定でき、書込みが許可される。
【００５９】
一方、切欠部５２が設けられていない表示記録媒体や、切欠部５２の位置がリミットスイッチ５３の先端部からずれている表示記録媒体の場合、切欠部５２にリミットスイッチ５３の先端部が嵌合しないため、リミットスイッチ５３はオン／オフ変化をしないため、その表示記録媒体は当該画像書込装置に帰属していないと判定し、書込みを拒否する。
【００６０】
（第６の実施の形態の効果）
この第６の実施の形態に係る表示記録媒体１Ｆによれば、切欠部５２が設けられているため、画像書込装置に装着したときに当該画像書込装置に帰属するか否かを判定できることから、帰属しない表示記録媒体１Ｆへの書込みが拒否されるので、特定の画像書込装置でしか画像の書込みが行えないため、特定の画像書込装置に適合した表示記録媒体しか使用できないということを予めユーザに認識させておけば、表示記録媒体の持ち出しや盗難の防止及び抑制することが可能になる。
【００６１】
なお、検出素子として、上記リミットスイッチの他に、ホトセンサ等の光学素子を用いてもよい。これにより、非接触で属性の有無を検知することができる。また、属性表示部として、上記嵌合部の他に、凹状、凸状、穴等の幾何学パターンでもよい。
【００６２】
［第７の実施の形態］
図１２は、本発明の第７の実施の形態に係る表示記録媒体を示す。この第７の実施の形態に係る表示記録媒体１Ｇは、受電部１２Ａ，１２Ｂの近傍に帰属表示部としてのマーキング部５４を設けた構成にしている。マーキング部５４は、バーコード、２次元コード、特定のマーク、色模様等による光学パターンにより形成され、画像書込装置１００にマーキング部５４を読み取る読取部を設けておくことにより、マーキング部５４の光学パターンを読み取ることができる。マーキング部５４の光学パターンによる属性情報（ＩＤなど）が、画像書込装置１００に予め登録してある属性情報と一致するとき、表示記録媒体１Ｇが画像書込装置１００に帰属すると判定され、表示記録媒体１Ｇへの書込みが許可される。
【００６３】
（第７の実施の形態の効果）
この第７の実施の形態に係る表示記録媒体１Ｇによれば、表示記録媒体１Ｇに設けたマーキング部５４に特定の画像書込装置に対応させて固有の情報を書き込んでおくことにより、表示記録媒体１を特定の画像書込装置でしか使えないようにすることができる。
【００６４】
なお、帰属表示部として上記光学パターンの他に、磁気コード等の磁気パターンを用いてもよい。これにより、磁気センサ等により非接触で帰属情報を読み取ることができる。
【００６５】
［他の実施の形態］
本発明は、上記各実施の形態に限定されず、その要旨を変更しない範囲内で種々変形できる。例えば、図６に示す画像書込装置１００は、図７に示すの表示記録媒体１Ｃを対象にしたが、他の表示記録媒体を対象にすることもできる。図１１の表示記録媒体１Ｆに対しては、ＩＤ受信部６９に代えてリミットスイッチ５３を用い、ＩＤの読み出しに代えてオン／オフ信号の変化を検知して処理すればよい。また、図１２に示す表示記録媒体１Ｇに対しては、ＩＤ記憶部６６及びＩＤリスト記憶部６７に代えて、マーキングを検出するマーキング検出手段とマーキングの内容を判別するマーキング判別手段を設けて処理すればよい。
【００６６】
また、上記実施の形態においては、受電部１２Ａ，１２Ｂを表示記録媒体の同一面に設けたが、両面に振り分けてもよい。
【００６７】
さらに、上記各実施の形態では、書換え可能な表示記録媒体として、書込パターン光の照射によって書込みをする光書込表示記録媒体について説明したが、電界、磁気、熱等により書込みする電界駆動型、磁気駆動型、感熱記録型等の他の記録原理による表示記録媒体でもよい。
【００６８】
また、上記各実施の形態では、ＬＣＤパネルを表示記録媒体に密着させてＬＣＤから書込パターン光を表示記録媒体に照射したが、プロジェクタ等の画像書込装置を用いて表示記録媒体から離れた位置から書込パターン光を照射してもよい。
【００６９】
メモリ性のある表示記録媒体としては、上記の他、ロイコ染料を用いた感熱記録媒体や、強誘電液晶に代表されるメモリー性のある液晶や、帯電された粒子を移動させて表示を切り替える電気泳動方式、帯電された粒子を回転させて表示を切り替える粒子回転方式、磁気により粒子を移動させて表示を切り替える磁気泳動方式を用いても良い。
【図面の簡単な説明】
【００７０】
【図１】本発明の第１の実施の形態に係る画像書込装置の要部の構成を示す平面図である。
【図２】図１の画像書込装置の断面図を示し、（ａ）は図１のＡ−Ａ線の断面図、（ｂ）は図１のＢ−Ｂ線の断面図、（ｃ）は図１のＣ−Ｃ線の断面図である。
【図３】本発明の第１の実施の形態に係る表示記録媒体を示し、（ａ）は第１の実施の形態に係る表示記録媒体の全体を示す斜視図、（ｂ）は特定の画像書込装置に帰属しない表示記録媒体の要部を示す斜視図である。
【図４】図１の（ａ）に示す表示記録媒体のＤ−Ｄ線の断面図である。
【図５】本発明の第２の実施の形態に係る表示記録媒体を示す断面図である。
【図６】本発明の第３の実施の形態に係る画像書込装置の制御系を示すブロック図である。
【図７】本発明の第３の実施の形態に係る表示記録媒体を示す平面図である。
【図８】本発明の第３の実施の形態に係る画像書込装置によるＩＤ照合処理を示すフローチャートである。
【図９】本発明の第４の実施の形態に係る表示記録媒体を示す平面図である。
【図１０】本発明の第５の実施の形態に係る表示記録媒体を示し、（ａ）は平面図、（ｂ）は特定の画像書込装置の給電端子に受電部が接触できた場合の位置関係を示す部分拡大図、（ｃ）は受電部に給電端子が接触できない場合の位置関係を示す部分拡大図である。
【図１１】本発明の第６の実施の形態に係る表示記録媒体を示す平面図である。
【図１２】本発明の第７の実施の形態に係る表示記録媒体を示す平面図である。
【符号の説明】
【００７１】
１Ａ〜１Ｇ  表示記録媒体
１ａ  表面
１ｂ  裏面
１１  書込表示領域
１２Ａ，１２Ｂ  受電部
１３Ａ，１３Ｂ  基板
１４Ａ，１４Ｂ  透明電極
１５  液晶層
１６  隔離層
１７  光導電層
１７ａ，１７ｃ  電荷発生層
１７ｂ  電荷輸送層
１８  光吸収層
１９  延在部
２０  書込パターン光
２１Ａ，２１Ｂ  開口
３０  ダミー受電部群
３１，３２，３３，３４，３５，３６，３７，３９，４０  ダミー受電部
５１  無線ＩＤ部
５２  切欠部
５３  リミットスイッチ
５４  マーキング部
６０  制御系
６１  制御部
６２  ＬＣＤパネル駆動部
６３  バックライト点灯部
６４  パルス電源部
６５  画像データ記憶部
６６  ＩＤ記憶部
６７  ＩＤリスト記憶部
６８  通信Ｉ／Ｆ（インターフェース）
６９  ＩＤ受信部
７０  インターネット
１００  画像書込装置
１１０  下部筐体
１１１Ａ，１１１Ｂ，１１１Ｃ，１１１Ｄ  搬送ローラ
１１２  媒体搬送部
１１３  ＬＣＤ（液晶ディスプレィ）パネル
１１４  バックライト
１１５  書込部
１１６  端子取付部
１１７Ａ，１１７Ｂ  給電端子
１１８Ａ，１１８Ｂ  ストッパ
１１９  媒体停止センサ
１２０  排出終了センサ
１２１  光出射面
１２２  逃げ穴
１２３Ａ，１２３Ｂ，１３５  開口
１２４Ａ，１２４Ｂ  ガイド
１３０  上部筐体
１３２Ａ，１３２Ｂ  電磁ソレノイド
１３３  押圧板
１３４  媒体押付け部
１５１  挿入口
１５２  空間
１５３  排出口
Ｌ１，Ｌ２  間隔
【図１】
0004736334.tif 000002
【図２】
0004736334.tif 000003
【図３】
0004736334.tif 000004
【図４】
0004736334.tif 000005
【図５】
0004736334.tif 000006
【図６】
0004736334.tif 000007
【図７】
0004736334.tif 000008
【図８】
0004736334.tif 000009
【図９】
0004736334.tif 000010
【図１０】
0004736334.tif 000011
【図１１】
0004736334.tif 000012
【図１２】
0004736334.tif 000013